(57)【要約】【課題】簡単な構成で、可視蛍光撮影、赤外蛍光撮影などの撮影モードで眼底を撮影できる眼科撮影装置を提供する。【解決手段】照明光で照明された眼底像を撮影する撮影光学系が設けられ、可視蛍光撮影と赤外蛍光撮影時、赤外光用電子撮像装置５１を用いて被検眼眼底が観察される。可視蛍光撮影時には、可視光用電子撮像装置３６を用いて被検眼の静止画撮影が行われ、一方赤外蛍光撮影時には、赤外光用電子撮像装置５１を用いて被検眼の静止画撮影が行われる。このような構成では、赤外蛍光撮影時、被検眼を観察するための赤外光用電子撮像装置を用いて被検眼の静止画撮影を行うようにしているので、少ない数の光学素子で装置を構成でき、操作性が改良される。【選択図】図５
2010099540.tif 000002
【特許請求の範囲】
【請求項１】
照明光を絞りを介して被検眼の眼底に投影する照明光学系と、照明光で照明された眼底像を撮影する撮影光学系とを備えた眼科撮影装置であって、
被検眼を静止画撮影する前の被検眼観察時において、被検眼の眼底を観察するための動画撮影に使用される赤外光用電子撮像装置と、
赤外蛍光撮影以外の撮影時、被検眼を静止画撮影するための可視光用電子撮像装置と、を備え、
赤外蛍光撮影時、前記赤外光用電子撮像装置を用いて被検眼の観察のための動画撮影を行い、シャッタ操作に連動して赤外光用電子撮像装置に取得された画像情報を静止画情報として記録することを特徴とする眼科撮影装置。
【請求項２】
前記撮影操作に連動して撮影用光源を発光させることを特徴とする請求項１に記載の眼科撮影装置。
【請求項３】
前記撮影操作に連動して赤外光用電子撮像装置の感度特性の設定値を、観察用の設定値から撮影用の設定値に切り替えることを特徴とする請求項１又は２に記載の眼科撮影装置。
【請求項４】
前記観察用の設定値が可変であることを特徴とする請求項３に記載の眼科撮影装置。
【請求項５】
前記静止画情報は、撮影時刻情報と関連付けられて記録されることを特徴とする請求項１から４のいずれか１項に記載の眼科撮影装置。
【発明の詳細な説明】
【技術分野】
【０００１】
本発明は、眼科撮影装置、更に詳細には、照明光をリング状絞り（リングスリット）などの絞りを介して被検眼の眼底に投影する照明光学系と、照明光で照明された眼底像を撮影する撮影光学系とを備えた眼科撮影装置に関する。
【背景技術】
【０００２】
眼底カメラなどの眼科撮影装置を用いて通常の眼底のカラー撮影を行う場合、被検眼に散瞳剤を点眼する散瞳撮影、あるいは散瞳剤が被検者に負担を強いるので、散瞳剤なしで赤外光で眼底を照射し、眼底観察を行って撮影を行う無散瞳撮影があり、また、蛍光撮影を行う場合には、可視蛍光像を撮影する可視蛍光撮影、赤外蛍光像を撮像する赤外蛍光撮影がある。それぞれの撮影モードに応じて使用する照明用フィルタ、撮影用フィルタが異なったり、あるいは光学特性が異なるので、各撮影モードに特化した眼底カメラが好ましいのであるが、コストパフォーマンスを考慮して兼用できる眼底カメラも種々開発されている。例えば、特許文献１には、散瞳撮影、無散瞳撮影、可視蛍光撮影対応の眼底カメラが、特許文献２には、散瞳撮影（カラー撮影）、可視蛍光撮影、赤外蛍光撮影に対応できる眼底カメラが、特許文献３には、同様に散瞳撮影（カラー撮影）、可視蛍光撮影、赤外蛍光撮影に対応できる眼底カメラで、各撮影モードで使用されるフィルタの波長特性が、更に特許文献４には、各撮影モードに応じて、変倍レンズ、蛍光フィルタ、リングスリットを連動させる機構が示されている。
【先行技術文献】
【特許文献】
【０００３】
【特許文献１】特開平９−１４０６７２号公報（［表１］、［表２］）
【特許文献２】特開平８−１５０１２０号公報（［００４２］〜［００５４］段落）
【特許文献３】特開平１−３００９２６号公報（第１図〜第８図）
【特許文献４】特許２８９４３５９号公報（第１図）
【発明の概要】
【発明が解決しようとする課題】
【０００４】
しかしながら、眼底カメラを、種々の撮影モードに対応させると、装置が複雑になるとともに、各種設定操作が複雑になり操作ミスも多くなる。
【０００５】
本発明は、簡単な構成で、種々の撮影モードで眼底を撮影できる眼科撮影装置を提供することを課題とする。
【課題を解決するための手段】
【０００６】
上記課題を解決する本発明は、
照明光を絞りを介して被検眼の眼底に投影する照明光学系と、照明光で照明された眼底像を撮影する撮影光学系とを備えた眼科撮影装置であって、
被検眼を静止画撮影する前の被検眼観察時において、被検眼の眼底を観察するための動画撮影に使用される赤外光用電子撮像装置と、
赤外蛍光撮影以外の撮影時、被検眼を静止画撮影するための可視光用電子撮像装置と、を備え、
赤外蛍光撮影時、前記赤外光用電子撮像装置を用いて被検眼の観察のための動画撮影を行い、シャッタ操作に連動して赤外光用電子撮像装置に取得された画像情報を静止画情報として記録することを特徴とする。
【発明の効果】
【０００７】
本発明では、赤外蛍光撮影時、被検眼を観察するための赤外光用電子撮像装置を用いて被検眼の静止画撮影を行うようにしているので、少ない数の光学素子で装置を構成でき、操作性が改良された眼科撮影装置が得られる。
【図面の簡単な説明】
【０００８】
【図１】本発明に係わる眼科撮影装置の第１の実施例の構成を示す構成図である。
【図２】（Ａ）はリングスリットを切り替える機構を示したターレット円盤の正面図、（Ｂ）は照明用フィルタを切り替える機構を示したターレット円盤の正面図である。
【図３】各種撮影モードにおけるリングスリットやフィルタの使用状態、観察手段と撮影手段の種別などを表の形で示した表図である。
【図４】リングスリット及び照明用フィルタを切り替える他の実施例を示した説明図である。
【図５】本発明に係わる眼科撮影装置の他の実施例の構成を示す構成図である。
【図６】図５の他の実施例のリングスリットの詳細な構成を示す光学図である。
【発明を実施するための形態】
【０００９】
本発明は、照明光をリングスリットなどの絞りを介して被検眼の眼底に投影する照明光学系と、照明光で照明された眼底像を撮影する撮影光学系とを備え、種々の撮影モードに対応した操作性のよい眼科撮影装置であり、以下に、図面に示す実施例に基づいて本発明を詳細に説明する。
【実施例１】
【００１０】
図１には、本発明の眼科撮影装置（眼底カメラ）の実施例が図示されており、ハロゲンランプなどの観察用光源１からの光束は、凹面鏡２で集光されたあと、撮影用光源であるストロボ３、コンデンサーレンズ４を経てミラー５で反射された後、リレーレンズ２０、２１を通過して穴あき全反射ミラー２２で反射され、この全反射ミラー２２で反射された光束は対物レンズ２３により被検眼Ｅの瞳Ｅｐで結像された後、眼底Ｅｒに入射する。
【００１１】
この眼底照明光学系の光路には、無散瞳時に、赤外透過フィルタ６が観察用光源１の後に挿入され、また照明光学系には、複数のリングスリット１１〜１３を切り替えることができるターレット円盤１０と、複数の照明用フィルタ１６〜１８を切り替えることができるターレット円盤１５が設けられている。ターレット円盤１０は、図２（Ａ）に図示したように、軸１０ａを中心に回転できるようになっており、その周囲に標準リングスリット（第１のリング状絞り）１１、小瞳孔用のリングスリット（第２のリング状絞り）１２、大リングスリットである蛍光用リングスリット（第３のリング状絞り）１３が配列され、円盤を回転させることにより、そのいずれかのリングスリットを、その中心が照明光学系の光軸と一致するように光軸に挿入できるようになっている。
【００１２】
標準リングスリット１１は、円形開口絞り１１ａと円形遮光板１１ｂを同心にして組み合わせたリング状絞りであり、その外径（円形開口絞り１１ａの直径）はＤ１、内径（円形遮光板１１ｂの直径）はｄ１となっている。また、小瞳孔用リングスリット１２は、円形開口絞り１２ａと円形遮光板１２ｂを同心にして組み合わせたリング状絞りであり、その外径Ｄ２（円形開口絞り１２ａの直径）は標準リングスリット１１の外径Ｄ１より小さく、またその内径ｄ２（円形遮光板１２ｂの直径）は、標準リングスリットの内径ｄ１より小さくなっている。また、蛍光用リングスリット１３は、円形開口絞り１３ａと円形遮光板１３ｂを同心にして組み合わせたリング状絞りであり、その外径Ｄ３（円形開口絞り１３ａの直径）は標準リングスリット１１の外径Ｄ１より大きく、またその内径ｄ３（円形遮光板１３ｂの直径）は、標準リングスリット１１の内径ｄ１より小さくなっている。
【００１３】
このような構成では、小瞳孔用リングスリット１２は、標準リングスリット１１に比較して少なくとも外径が小さく、また、蛍光用リングスリット１３は、標準リングスリット１１より照明光が通過するリング状の部分の面積が大きく、その面積に対応して透過光量が多くなる。
【００１４】
照明光学系の光路に挿入されるこれらのリングスリットは、ほぼ被検眼Ｅの瞳Ｅｐの位置に結像され、リング状の開口部を介して照明光が入射され、それにより眼底が均一に照明される。また、このとき眼底からの有害な反射光が各リングスリットの円形遮光板の像により遮光される。標準のリングスリット１１は、通常使用されるリングスリットで、小
瞳孔用のリングスリット１２は、被検者の散瞳状態が十分ではないとき、あるいは被検者が子供のような、いわゆる小瞳孔に対して使用されるもので、標準のリングスリットよりも外径を小さくするとともに、内径も小さくして照明光の減少を防いでいる。さらに、蛍光用リングスリット１３は、主に赤外蛍光撮影のときに用いられるもので、照明光を多く入射させるために、標準リングスリット１１よりも外径が大きく、また内径は小さくなっている。なお、可視蛍光撮影の時は、通常標準リングスリット１１が用いられるが、光量が要求される場合には、大リングスリットである蛍光用リングスリット１３を用いることができる。
【００１５】
また、リングスリットを切り替えるターレット円盤１０の背後には、図２（Ｂ）に図示したような、各種照明光用フィルタ、すなわちスルーフィルタ１６、４５０ｎｍから５２０ｎｍの青色光束を通過させる可視蛍光用エキサイタフィルタ１７、７００ｎｍから８００ｎｍの赤外光を通過させる赤外蛍光用エキサイタフィルタ１８を配置した軸１５ａを中心に回転可能なターレット円盤１５が設けられている。ターレット円盤１５が回転すると、いずれかの照明光用フィルタが照明光学系の光路に挿入できるようになっており、スルーフィルタ１６の場合には、すべての光束を通過させることができる。一方、可視蛍光用エキサイタフィルタ１７は、可視蛍光撮影時に挿入され、また赤外蛍光用エキサイタフィルタ１８は、赤外蛍光撮影時に光路に挿入され、赤外域のみの光を透過させる。
【００１６】
被検眼Ｅの眼底Ｅｒからの反射光は、再び瞳Ｅｐの中心部を通過して対物レンズ２３を介して受光され、穴あき全反射ミラー２２の穴を通過し、撮影光学系の光路に配置された撮影絞り２４、フォーカスレンズ２５、２６、結像レンズ２７を通過してリターンミラー３０（第１のリターンミラー）に入射する。結像レンズ２７は、倍率の異なる結像レンズ２８と交換できこれにより変倍機構を構成している。また、この撮影光路で撮影絞り２４とフォーカスレンズ２５の間に、可視蛍光撮影時、眼底からの可視蛍光を透過させるためにバリアフィルタ（撮影用フィルタ）４２が挿入できるようになっている。
【００１７】
リターンミラー３０で反射された眼底からの光束は、リターンミラー３１（第２のリターンミラー）で反射され肉眼観察光学系を構成する接眼レンズ（ファインダ）３２に入射するので、検者は接眼レンズ３２を介して眼底像を観察することができる。また、赤外透過フィルタ６を挿入し、リターンミラー３１が跳ね上がって光路より離脱すると、眼底からの光束はリターンミラー３３（第３のリターンミラー）により反射されて赤外光用観察光学系に入射する。この赤外光用観察光学系は、赤外光に感度を有する赤外ＣＣＤ（赤外光用電子撮像ユニット）３５を有し、これにより撮像された赤外眼底像は、切替回路３９を介してモニタ４０に表示される。この撮像ユニット３５は、眼底観察中の画像を撮像するので、モニタ４０には、眼底観察中に撮像される眼底の赤外動画像が表示され、検者は眼底像をモニタで観察しながら、アライメントや焦点合わせを行うことができる。
【００１８】
また、リターンミラー３１とリターンミラー３３間の光路には、赤外蛍光撮影時、８２０ｎｍから９００ｎｍの赤外光を透過させる赤外蛍光用バリアフィルタ（撮影用フィルタ）４３が挿入できるようになっている。
【００１９】
リターンミラー３３が跳ね上がって光路から離脱すると、眼底からの光束は、ダイクロイックミラー３４に入射し、この光学素子により可視光と赤外光が分離される。可視光はダイクロイックミラー３４で反射されて可視光に感度を有するカラーＣＣＤ（可視光用電子撮像装置）３６に入射し、一方赤外光は、ダイクロイックミラー３４を透過して赤外光に感度を有する赤外ＣＣＤ（赤外光用電子撮像装置）３７に入射する。カラーＣＣＤ３６で撮像された眼底像は、ダイクロイックミラー３４で反射された像であるので、赤外ＣＣＤ３７で撮像された眼底の反転像となっている。従って、画像反転回路３８を設け、この画像反転回路３８により、カラーＣＣＤ３６と赤外ＣＣＤ３７からのいずれかの像を反転
処理して観察画像と撮影画像の上下が一致するように画像処理する。これらの撮像ユニット３６、３７は撮影時ストロボ３の発光により得られる眼底像を撮像するので、モニタ４０には、切替回路３９を介して眼底の静止画像が表示される。なお、図１には、図示されていないが、記録装置が設けられ、撮像ユニット３６、３７で撮像された眼底画像が記録装置に記録できるようになっている。
【００２０】
また、リターンミラー３０が跳ね上がって光路から離脱する時には、眼底画像が３５ｍｍフィルムのような写真フィルム４４に撮影できるようになっている。この写真フィルムの代わりにカラーＣＣＤ３６と同等な撮像ユニットを用いて眼底像を撮影することもできる。
【００２１】
このように構成された眼科撮影装置では、散瞳撮影、無散瞳撮影、可視蛍光撮影、赤外蛍光撮影の各撮影モードでの撮影が可能であり、通常のカラー撮影は散瞳撮影あるいは無散瞳撮影で行われる。
【００２２】
散瞳撮影の場合には、被検者に散瞳剤が点眼される。このとき赤外透過フィルタ６は光路から離脱される。またリングスリットとしては、通常の場合は標準リングスリット１１が、また小瞳孔の場合は、小瞳孔用リングスリット１２が選択されて光路に挿入される。また照明用フィルタとしてはスルーのフィルタ１６が選択されて光路に挿入される。バリアフィルタ４２、４３は蛍光撮影のためのものであるので、光路から離脱されており、リターンミラー３０、３１、３３は図示の位置を占めている。観察用光源１からの光束は、ミラー５で反射された後、標準リングスリット１１（あるいは小瞳孔用リングスリット１２）、スルーのフィルタ１６、リレーレンズ２０、２１を通過して穴あき全反射ミラー２２で反射されて対物レンズ２３に入り、眼底Ｅｒを照明する。被検眼Ｅの眼底Ｅｒからの反射光は、対物レンズ２３、穴あき全反射ミラー２２、撮影絞り２４、フォーカスレンズ２５、２６、結像レンズ２７を通過してリターンミラー３０、３１を介して接眼レンズ３２に入射する。それにより検者はファインダで眼底を観察できるので、アライメント、焦点合わせなどの位置合わせを行うことができる。アライメント、焦点合わせが完了すると、シャッターボタン（不図示）を操作する。それに連動して、ストロボ３が発光し、そのときリターンミラー３０が光路から離脱するので、眼底をフィルム４４（あるいはカラーＣＣＤ）などにカラー撮影することができる。なお、眼底の観察には、接眼レンズ３２によらず、赤外観察もできるので、そのときはリターンミラー３１が光路から離脱され、眼底像が赤外ＣＣＤ３５により動画撮像される。眼底像は、切替回路３９を介してモニタ４０に表示されるので、検者はモニタ４０を介して眼底を観察し、アライメントや焦点合わせを行うことができる。
【００２３】
以上の散瞳撮影の場合が、図３にも要約して図示されており、リングスリットとしては、通常の瞳孔か小瞳孔かに応じて標準あるいは小瞳孔用リングスリットが選択される。また、スルーのフィルタが選択されるので、エキサイタフィルタは「なし」となっており、バリアフィルタ４２、４３も光路から離脱しているので、同様に「なし」となっている。観察光量、撮影光量は、リングスリットに応じて調節され、標準リングスリットの場合は「０」（デフォルト値）で、一方小瞳孔用リングスリットの場合は「＋１」にして、観察、撮影が行われる。また蛍光撮影ではないので、蛍光剤を静注してからの計時を行うタイマー（不図示）は「なし」となっている。また、観察手段としては、上述したようにファインダ（接眼レンズ３２）を介した肉眼観察か、あるいは赤外ＣＣＤ３５によるモニタ４０での観察が行われ、撮影手段としては、３５ｍｍフィルムあるいはカラーＣＣＤが用いられる。
【００２４】
無散瞳撮影が行われる場合には、赤外透過フィルタ６が挿入され、リングスリットとして小瞳孔用リングスリット１２が選択される。またリターンミラー３１が跳ね上がって光
路から離脱され、観察時には、赤外ＣＣＤ３５によるモニタ４０での観察になるところが、散瞳撮影時と相違するところである。従って、図３の観察手段が赤外ＣＣＤとなっている。撮影は、散瞳撮影のときと同様である。無散瞳撮影の場合には、散瞳剤の点眼がないので、被検者の負担は軽減される。
【００２５】
可視蛍光撮影のときは、リングスリットは、通常の瞳孔か小瞳孔かに応じて標準あるいは小瞳孔用リングスリット１１、１２が選択され、また、照明光用フィルタとしては、可視蛍光用エキサイタフィルタ１７が、撮影用フィルタとしては、可視蛍光用バリアフィルタ４２が選択される。観察時、赤外ＣＣＤ３５でモニタ観察するときは、赤外透過フィルタ６が挿入され、リターンミラー３１は光路から離脱される。一方、ファインダ３２で観察が行われるときは、赤外透過フィルタ６が光路から離脱され、リターンミラー３１は光路に挿入される。ファインダで観察するときは、可視蛍光用エキサイタフィルタ１７を光路に挿入しておく。アライメント、焦点合わせが完了すると、蛍光剤が静注され、エキサイタフィルタ１７とバリアフィルタ４２が光路に挿入され、タイマーが計時を開始する。所定時間Ｔ１が経過すると、可視蛍光用エキサイタフィルタ１７を通過した励起光により眼底に可視蛍光像が発生するので、シャッターボタンが押され、ストロボ３が発光する。このときリターンミラー３０が跳ね上がるので、可視蛍光像が３５ｍｍフィルム４４あるいはカラーＣＣＤにより撮影される。シャッターボタンが操作されるごとに同様な動作となり、可視光像の撮影が行われる。なおカラー画像をカラーＣＣＤ３６で撮像する場合には、リターンミラー３０を光路に挿入し、リターンミラー３１、３３を光路から離脱させるようにする。また、カラーＣＣＤ３６を使用して撮影するときは、観察用光源１からの光束が障害となるので、光源１を消灯するのが好ましいが、赤外蛍光用バリアフィルタ４３は、可視光に対して遮光作用をもつので、光源１を消灯する代わりに、カラーＣＣＤ３６の画像情報蓄積時間に応じて赤外蛍光用バリアフィルタ４３を光路に挿入あるいは離脱させるようにしてもよい。
【００２６】
また、可視蛍光撮影の場合、被検眼の状況によっては、標準リングスリット１１に代えて光量が多くなる蛍光用リングスリット１３を用いるようにしてもよい。
【００２７】
この可視蛍光撮影の場合が、同様に図３に要約して図示されている。なお、小瞳孔用リングスリットが選択される場合には、必要に応じて観察光量と撮影光量を増量するようにしておく。例えば、標準リングスリットが「＋３」の増量のとき、小瞳孔用リングスリットが選択される場合には、「＋４」の増量となる。また、蛍光用リングスリット１３を用いる場合には、被検眼により多くの光量が照射されるので、観察光源光量と撮影光源光量を減少させる。これが、図３で「＋２」で図示されている。
【００２８】
赤外蛍光撮影のときは、照明光量、撮影光量を増加させても被検者に負担にならないので、また感度が悪くなるので、観察光量並びに撮影光量とも増量され、リングスリットとしては、眼底への投影光量が最大となる蛍光用リングスリット１３が選択される。また、照明光用フィルタとしては、赤外蛍光用エキサイタフィルタ１８が、撮影用フィルタとしては、赤外蛍光用バリアフィルタ４３が選択される。観察時には、大リングスリット１３（あるいは標準リングスリット１１）と、赤外蛍光用エキサイタフィルタ１８が光路に挿入され、リターンミラー３１が光路から離脱されて赤外ＣＣＤ３５によるモニタ観察が行われる。アライメント、焦点合わせが完了すると、蛍光剤が静注され、赤外蛍光用バリアフィルタ４３が挿入され、タイマーが計時を開始する。所定時間Ｔ２が経過すると、赤外蛍光用エキサイタフィルタ１８を通過した励起光により眼底に赤外蛍光像が発生するので、シャッタボタンが押され、ストロボ３が発光する。このとき、リターンミラー３０は、図示の位置に固定され、リターンミラー３１は跳ね上げられて固定されており、シャッターボタンが操作されるごとに、リターンミラー３３が跳ね上がるので、赤外蛍光像がダイクロイックミラー３４を透過して赤外ＣＣＤ３７により撮像される。この赤外蛍光像は、
画像反転処理回路３８で画像の上下が反転されて切替回路３９を介してモニタ４０に静止画像として表示される。
【００２９】
この赤外蛍光撮影の場合が、同様に図３に図示されており、リングスリットとして蛍光用リングスリット１３、または標準リングスリット１１を用い、使用するリングスリットに応じて観察光量、撮影光量を調節する。例えば、蛍光用リングスリットを用いたときは、「＋５」、標準リングスリットを用いる場合には、「＋６」とする。
【００３０】
なお、蛍光用リングスリット１３が光路に挿入される場合は、主に赤外蛍光撮影のときであり、このときには、赤外域のみの光を透過する波長特性を持った赤外蛍光用エキサイタフィルタ１８が光路に挿入されるので、これを図１に示したように、別々のターレットにより選択するのではなく、蛍光用リングスリット１３と赤外蛍光用エキサイタフィルタ１８を一体化したものをいずれかのターレットに配置するようにしてもよい。これにより、蛍光用リングスリット１３は、赤外域のみの光を透過する波長特性、すなわち赤外蛍光励起フィルタとしての波長特性を持つことになるので、別個に赤外蛍光用エキサイタフィルタを必要とせず、機構が簡略化される。
【００３１】
また、ターレット円盤１０を用いる代わりに、蛍光用リングスリット１３を光路に固定し、撮影モードに応じて標準リングスリット１１と小瞳孔用リングスリット１２をソレノイドなどにより選択して光路にスライドさせ挿入するようにしてもよい。標準リングスリット１１と小瞳孔用リングスリット１２が選択されず、光路に挿入されない場合は、光路に蛍光用リングスリット１３が固定されているので、ターレット円盤で蛍光用リングスリット１３を選択したのと同じになる。また、図２（Ａ）に示したように、光路に固定されている蛍光用リングスリット１３の内径ｄ３が小さく、また外径Ｄ３が大きいので、標準リングスリット１１と小瞳孔用リングスリット１２が選択された場合には、ターレット円盤でそれらのリングスリットが選択された場合と同様の効果を得ることができる。
【００３２】
同様に、ターレット円盤１５を用いる代わりに、可視蛍光用エキサイタフィルタ１７と赤外蛍光用エキサイタフィルタ１８をソレノイドなどを用いて選択して光路にスライドさせ挿入するようにしてもよい。可視蛍光用エキサイタフィルタ１７と赤外蛍光用エキサイタフィルタ１８のいずれも挿入されない場合は、ターレット円盤でスルーフィルタ１６が選択されたのと同じであり、いずれかのフィルタ１７、１８が選択された場合には、ターレット円盤で対応するフィルタ１７、１８が選択されたのと同じ効果を得ることができる。
【００３３】
また、リングスリットと照明用フィルタを各種撮影モードに合わせて一体化して、両ターレット円盤１０、１５を一体化させることができる。この例が図４に図示されている。ターレットには、標準リングスリット１１が３個、小瞳孔用リングスリット１２が２個、蛍光用リングスリット１３が１個円周に配列されており、このうち、一つの標準リングスリットと小瞳孔用リングスリットに可視蛍光用エキサイタフィルタ１７が固着され、標準リングスリットと小瞳孔用リングスリットが可視蛍光用エキサイタフィルタと一体化されている（（ｂ）、（ｃ））。また、一つの標準リングスリットと蛍光用リングスリットに赤外蛍光用エキサイタフィルタ１８が固着され、標準リングスリットと蛍光用リングスリットが赤外蛍光用エキサイタフィルタと一体化されている（（ｅ）、（ｆ））。
【００３４】
このような構成で、図３に示した一番上の散瞳撮影の場合には、図４の（ａ）の位置の標準リングスリットが選択され、２番目の可視蛍光撮影の場合には、（ｃ）の位置の可視蛍光用エキサイタフィルタが一体化された標準リングスリットが選択され、３番目の赤外蛍光撮影の場合には、（ｆ）の位置の赤外蛍光用エキサイタフィルタが一体化された標準リングスリットが選択され、４番目の無散瞳撮影と５番目の散瞳撮影の場合には、（ｄ）
の位置の小瞳孔用リングスリットが選択され、６番目の可視蛍光撮影の場合には、（ｂ）の位置の可視蛍光用エキサイタフィルタが一体化された小瞳孔用リングスリットが選択され、７番目の赤外蛍光撮影の場合には、（ｅ）の位置の赤外蛍光用エキサイタフィルタが一体化された蛍光用リングスリットが選択されて、それぞれが光路に挿入される。この例では、対応するリングスリットとエキサイタフィルタが一体化されるので、選択機構を簡単なものにし、また操作性を向上させることができる。
【実施例２】
【００３５】
図５には、本発明の他の実施例が図示されている。この実施例は、図１の実施例と比較して、リングスリットと照明用のフィルタの構成が相違し、また、観察用と撮影用の赤外ＣＣＤカメラを共通にしたところが相違している。その他の部分は、同様であるので、図１の実施例の同一ないし同様な部分には、同一の参照符合を付し、その詳細な説明は省略する。
【００３６】
図５の実施例の場合も、標準リングスリット６１、小瞳孔用リングスリット６２、蛍光用リングスリット６３は、図１と同様に、ターレット円盤に配置され、ターレット円盤を回転させることにより、あるいは、直線上に配置してスライド機構などを用いて、そのいずれか一つが光軸に挿入できるようになっている。
【００３７】
図６に詳細に図示したように、各リングスリットは、レンズと複数の絞りから構成されており、標準リングスリット６１は、レンズ６１ａ、リングスリット６１ｂ（例えば外径＝１６ｍｍ、内径＝８ｍｍ）、円形の開口絞り６１ｃ（例えば直径＝１２ｍｍ）、リングスリット６１ｄ（例えば外径＝１６ｍｍ、内径＝８ｍｍ）から構成され、これらの各素子６１ａ、６１ｂ、６１ｃ、６１ｄは一体の構成としてユニット化されている。また、小瞳孔用リングスリット６２は、レンズ６２ａ、リングスリット６２ｂ（例えば外径＝１３ｍｍ、内径＝７ｍｍ）、円形の開口絞り６２ｃ（例えば直径＝１０ｍｍ）、それにリングスリット６２ｄ（例えば外径＝１３ｍｍ、内径＝７ｍｍ）から構成され、これらの各素子６２ａ、６２ｂ、６２ｃ、６２ｄも一体構成で、ユニット化されている。また、蛍光用リングスリット６３は、レンズ６３ａ（例えば直径＝１８ｍｍ）とリングスリット６３ｃ（例えば外径＝１６ｍｍ、内径＝２ｍｍ）から構成され、それに赤外蛍光用エキサイタフィルタ４６（図１の実施例の赤外蛍光用エキサイタフィルタ１８に対応）が設けられ、同様に、各素子６３ａ、６３ｃ、並びに４６は、一体の構成となっていて、ユニット化されている。
【００３８】
また、標準リングスリット６１のリングスリット６１ｂ、小瞳孔用リングスリット６２のリングスリット６２ｂは、角膜共役位置に配置され、また、蛍光用リングスリット６３の角膜共役位置では、レンズ鏡筒による絞り効果があるので、円形開口絞りが形成される。従って、この角膜共役位置にある絞り構成では、リングスリット６２ｂの外径並びに内径は、リングスリット６１ｂの外形並びに内径よりもそれぞれ小さくなっており、また、蛍光用リングスリット６３の角膜共役位置で形成される円形開口絞りは、レンズ６３ａの直径とほぼ同じであるので、この円形開口絞りを通過する照明光量（透過光量）は、リングスリット６１ｂのものよりも多くなっている。
【００３９】
また、標準リングスリット６１の円形開口絞り６１ｃ、小瞳孔用リングスリット６２の円形開口絞り６２ｃ、蛍光用リングスリット６３のリングスリット６３ｃは、それぞれ瞳共役位置に配置されるので、この瞳共役位置にある絞り構成では、円形開口絞り６２ｃの直径は、円形開口絞り６１ｃの直径より小さくなっており、また、リングスリット６３ｃを通過する照明光量（透過光量）は、円形開口絞り６１ｃのものよりも多くなっている。
【００４０】
また、標準リングスリット６１のリングスリット６１ｄ、小瞳孔用リングスリット６２
のリングスリット６２ｄは、水晶体共役位置に配置され、また、蛍光用リングスリット６３の水晶体共役位置では、レンズ鏡筒による絞り効果があるので、円形開口絞りが形成される。従って、この水晶体共役位置にある絞り構成では、リングスリット６２ｄの外径並びに内径は、リングスリット６１ｄの外形並びに内径よりもそれぞれ小さくなっており、また、蛍光用リングスリット６３の水晶体共役位置で形成される円形開口絞りは、レンズ６３ａの直径とほぼ同じであるので、この円形開口絞りを通過する照明光量（透過光量）は、リングスリット６１ｄのものよりも多くなっている。
【００４１】
また、図５の実施例では、図１の実施例のスルーフィルタ１６は、各レンズ６１ａ、６２ａ、６３ａで代用されるので、省略されており、図１の実施例の可視蛍光用エキサイタフィルタ１７は、図５の実施例では、レンズ４とミラー５間に挿脱される可視蛍光用エキサイタフィルタ４５となっており、図１の実施例の赤外蛍光用エキサイタフィルタ１８は、図５の実施例では、上述したように、赤外蛍光用エキサイタフィルタ４６として蛍光用リングスリット６３内に一体化されて配置されている。
【００４２】
このような構成で、散瞳、無散瞳、可視蛍光、赤外蛍光の各撮影モードで、それぞれ、図１の実施例と同様に、図３に示した表図に従って、標準リングスリット６１、小瞳孔用リングスリット６２、蛍光用リングスリット６３、並びに、可視蛍光用エキサイタフィルタ４５、赤外蛍光用エキサイタフィルタ４６が選択されて、眼底の観察並びに撮影が行われる。その際、各照明光絞りの透過光量の関係が図１のものと同様な関係になっているので、図１の実施例と同様な効果が得られる。
【００４３】
また、図５の実施例における撮影光学系では、図１の実施例における観察用の赤外ＣＣＤ３５と撮影用の赤外ＣＣＤ３７が、赤外光用観察撮影ユニットとして機能する一つの赤外ＣＣＤ５１となっている。従って、赤外ＣＣＤ５１は、観察用にも、また撮影用にも、利用できるので、図１の実施例と比較して安価な構成となる。その場合、赤外ＣＣＤ５１を、観察用に用いるときと、撮影用に用いられるときとで、その感度を変化させる必要があるので、ゲイン切換回路５２を設け、撮影時には、赤外ＣＣＤ５１の感度特性の設定値を、観察用の設定値から撮影用の設定値にシャッター動作に同期して切り替え、感度を観察時のときより低いゲイン値にする。また、観察時は、赤外ＣＣＤ５１の感度を高めるようにし、その場合、各撮影モードに応じてその感度設定値（ゲイン）を可変にするようにするのが好ましい。
【００４４】
また、眼底の静止画情報を撮影時刻情報と関連付けて記録すると、好ましい結果が得られるので、静止画を記録する記録部５３に蛍光撮影時に用いられるタイマー５４を接続し、撮影された時刻をタイマー５４で計測し、眼底の静止画をその撮影時刻とともに、記録するようにする。
【符号の説明】
【００４５】
１１  標準リングスリット
１２  小瞳孔用リングスリット
１３  蛍光用リングスリット
１７  可視蛍光用エキサイタフィルタ
１８  赤外蛍光用エキサイタフィルタ
３６  カラーＣＣＤ
４２  可視蛍光用バリアフィルタ
４３  赤外蛍光用バリアフィルタ
４５  可視蛍光用エキサイタフィルタ
４６  赤外蛍光用エキサイタフィルタ
５１  赤外ＣＣＤ
６１  標準リングスリット
６２  小瞳孔用リングスリット
６３  蛍光用リングスリット
【図１】
2010099540.tif 000003
【図２】
2010099540.tif 000004
【図３】
2010099540.tif 000005
【図４】
2010099540.tif 000006
【図５】
2010099540.tif 000007
【図６】
2010099540.tif 000008